(57)【特許請求の範囲】
【請求項１】
熱源機で加熱した温水を、往き配管を経由して浴室暖房乾燥機本体が備える往き配管接続部から前記浴室暖房乾燥機本体に送り込み、前記浴室暖房乾燥機本体が備える熱交換器で放熱させた後、前記浴室暖房乾燥機本体が備える戻り配管接続部から戻り配管を経由して前記熱源機へ戻すように構成された浴室暖房乾燥機であって、
前記浴室暖房乾燥機本体内に空気を流入させるとともに、流入した空気を、吹き出し口を経て前記浴室暖房乾燥機本体の外部に吹き出させる循環ファンと、
前記循環ファンによって浴室暖房乾燥機本体内に取り込まれた空気を前記往き配管接続部から供給される前記温水によって加熱する熱交換器と、
前記往き配管接続部から供給される前記温水の温度を検出する往き温水温度検出部と、を備え、
前記熱交換器への前記温水の通流を継続した状態で、前記循環ファンによる送風を行った後、所定の第１の時間にわたり前記循環ファンによる送風を停止したときに、前記往き温水温度検出部による検出温度の上昇幅が前記第１の温度幅以上である場合に、前記往き配管が前記戻り配管接続部に接続され、かつ、前記戻り配管が前記往き配管接続部に接続された逆接続状態であると判定する逆接続状態判定を実行すること
を特徴とする浴室暖房乾燥機。
【請求項２】
（ａ）前記熱交換器への前記温水の通流を継続した状態で、前記循環ファンによる送風を行った後、前記第１の時間にわたり前記循環ファンによる送風を停止したときに、前記往き温水温度検出部による前記検出温度の上昇幅が前記第１の温度幅未満である場合に、前記往き配管が前記戻り配管接続部に接続され、かつ、前記戻り配管が前記往き配管接続部に接続された逆接続状態ではないと判定し、
（ｂ）前記熱交換器への前記温水の通流を継続した状態で、前記循環ファンによる送風を行った後、前記第１の時間にわたり前記循環ファンによる送風を停止したときに、前記往き温水温度検出部による検出温度の上昇幅が前記第１の温度幅以上である場合に、前記熱交換器への前記温水の通流を継続した状態で、前記循環ファンによる送風を行った後、前記第１の時間より長い所定の第２の時間にわたり前記循環ファンによる送風を停止し、該送風の停止後の前記往き温水温度検出部による検出温度の上昇幅が、前記第１の温度幅より大きい前記第２の温度幅以上である場合に、前記往き配管が前記戻り配管接続部に接続され、かつ、前記戻り配管が前記往き配管接続部に接続された逆接続状態であると判定すること
を特徴とする請求項１記載の浴室暖房乾燥機。
【請求項３】
前記循環ファンによる送風を行った状態で、前記熱交換器への前記温水の通流を継続し、前記往き温水温度検出部による検出温度の変動幅が所定の温度幅以下である場合に、前記逆接続状態判定を実行することを特徴とする請求項１または２記載の浴室暖房乾燥機。
【発明の詳細な説明】
【技術分野】
【０００１】
本発明は、浴室暖房乾燥機に関し、詳しくは、浴室暖房乾燥機に用いられる温水の往きと戻りの配管の誤接続を検出することができるように構成された浴室暖房乾燥機に関する。
【背景技術】
【０００２】
浴室暖房乾燥機には、浴室暖房乾燥機に用いられる温水の往きと戻りの配管の誤接続を検出することができるように構成されたものがある。
【０００３】
このような浴室暖房乾燥機の１つとして、特許文献１には、熱源機において加熱生成された温水を往き側の温水配管から温水端末機の熱交換器へ送り込んで放熱させた後、戻り側の温水配管を介して熱源機へ戻し入れる温水循環動作を行う温水利用システムであって、往き側の温水配管が熱交換器へ繋がる温水端末機の出水側の配管接続部に接続され、戻り側の温水配管が熱交換器へ繋がる温水端末機の入水側の配管接続部に接続された逆接続状態であるか否かを判定するための接続判定手段を備えた温水利用システムが開示されている。
【０００４】
この温水利用システムが備えている接続判定手段は、温水循環動作実行中に熱交換器への通水を一旦停止し、所定時間経過後に通水を再開させた際に、入水側の配管接続部と熱交換器とを繋ぐ入水管路内の水温が予め設定された基準変化量以上低下した場合に、逆接続状態であると判定するように構成されている。
【０００５】
そして、この特許文献１の技術を浴室暖房乾燥機に応用すると、熱源機で加熱した温水を、往き配管を経由して浴室暖房乾燥機が備える往き配管接続部から浴室暖房乾燥機に送り込んで、浴室暖房乾燥機が備える熱交換器で放熱させた後、浴室暖房乾燥機が備える戻り配管接続部から戻り配管を経由して熱源機へ戻すように往き配管と戻り配管とが接続されるべきところを、誤って、往き配管が浴室暖房乾燥機の戻り配管接続部に接続され，かつ、戻り配管が浴室暖房乾燥機の往き配管接続部に接続された逆接続状態を検出することが可能になる。
【先行技術文献】
【特許文献】
【０００６】
【特許文献１】特開２００９−１９８４４号公報
【発明の概要】
【発明が解決しようとする課題】
【０００７】
しかしながら、特許文献１の温水利用システムが備えている接続判定手段においては、温水循環動作実行中に熱交換器への通水が一旦停止されることになるため、接続判定を実行している間に浴室暖房乾燥機内に滞留する温水の温度が低下するおそれがある。
【０００８】
そして、接続判定手段による逆接続状態であるか否かの判定を完了した後に浴室暖房乾燥機の動作を継続する場合、熱交換器への通水を再開し、滞留して温度が低下した温水の温度が回復した後に浴室暖房乾燥機の動作を開始することが必要になる。そのため、逆接続状態であるか否かの判定を完了した後、浴室暖房乾燥機の動作開始までに、時間のロスを伴うことになり、好ましくないという問題点がある。
【０００９】
本発明は、上記の課題を解決するものであり、浴室暖房乾燥機に用いられる温水の往きと戻りの配管の誤接続を確実に検出することが可能で、かつ、逆接続状態であるか否かの判定を完了した後、浴室暖房乾燥機の動作開始までの時間のロスの少なくすることが可能な浴室暖房乾燥機を提供することを目的とする。
【００１０】
すなわち、本発明は、熱源機で加熱した温水を、往き配管を経由して浴室暖房乾燥機の往き配管接続部から浴室暖房乾燥機に送り込んで、浴室暖房乾燥機の熱交換器で放熱させた後、浴室暖房乾燥機の戻り配管接続部から戻り配管を経由して熱源機へ戻すように往き配管と戻り配管とが接続される浴室暖房乾燥機において、往き配管が浴室暖房乾燥機の戻り配管接続部に接続され、かつ、戻り配管が浴室暖房乾燥機の往き配管接続部に接続された逆接続状態を確実に検出することが可能で、しかも、逆接続状態を検出するために熱交換器への通水を一旦停止する必要がなく、逆接続状態であるか否かの判定を完了した後に浴室暖房乾燥機の動作を継続する場合の時間のロスを少なくすることが可能な浴室暖房乾燥機を提供することを目的とする。
【課題を解決するための手段】
【００１１】
上記の目的を達成するために、本発明の浴室暖房乾燥機は、
熱源機で加熱した温水を、往き配管を経由して浴室暖房乾燥機本体が備える往き配管接続部から前記浴室暖房乾燥機本体に送り込み、前記浴室暖房乾燥機本体が備える熱交換器で放熱させた後、前記浴室暖房乾燥機本体が備える戻り配管接続部から戻り配管を経由して前記熱源機へ戻すように構成された浴室暖房乾燥機であって、
前記浴室暖房乾燥機本体内に空気を流入させるとともに、流入した空気を、吹き出し口を経て前記浴室暖房乾燥機本体の外部に吹き出させる循環ファンと、
前記循環ファンによって浴室暖房乾燥機本体内に取り込まれた空気を前記往き配管接続部から供給される前記温水によって加熱する熱交換器と、
前記往き配管接続部から供給される前記温水の温度を検出する往き温水温度検出部と、を備え、
前記熱交換器への前記温水の通流を継続した状態で、前記循環ファンによる送風を行った後、所定の第１の時間にわたり前記循環ファンによる送風を停止したときに、前記往き温水温度検出部による検出温度の上昇幅が前記第１の温度幅以上である場合に、前記往き配管が前記戻り配管接続部に接続され、かつ、前記戻り配管が前記往き配管接続部に接続された逆接続状態であると判定する逆接続状態判定を実行すること
を特徴としている。
【００１２】
また、本発明の浴室暖房乾燥機においては、
（ａ）前記熱交換器への前記温水の通流を継続した状態で、前記循環ファンによる送風を行った後、前記第１の時間にわたり前記循環ファンによる送風を停止したときに、前記往き温水温度検出部による前記検出温度の上昇幅が前記第１の温度幅未満である場合に、前記往き配管が前記戻り配管接続部に接続され、かつ、前記戻り配管が前記往き配管接続部に接続された逆接続状態ではないと判定し、
（ｂ）前記熱交換器への前記温水の通流を継続した状態で、前記循環ファンによる送風を行った後、前記第１の時間にわたり前記循環ファンによる送風を停止したときに、前記往き温水温度検出部による検出温度の上昇幅が前記第１の温度幅以上である場合に、前記熱交換器への前記温水の通流を継続した状態で、前記循環ファンによる送風を行った後、前記第１の時間より長い所定の第２の時間にわたり前記循環ファンによる送風を停止し、該送風の停止後の前記往き温水温度検出部による検出温度の上昇幅が、前記第１の温度幅より大きい前記第２の温度幅以上である場合に、前記往き配管が前記戻り配管接続部に接続され、かつ、前記戻り配管が前記往き配管接続部に接続された逆接続状態であると判定するように構成されていることが好ましい。
【００１３】
また、本発明の浴室暖房乾燥機においては、前記循環ファンによる送風を行った状態で、前記熱交換器への前記温水の通流を継続し、前記往き温水温度検出部による検出温度の変動幅が所定の温度幅以下である場合に、前記逆接続状態判定を実行するように構成されていることが好ましい。
【発明の効果】
【００１４】
本発明の浴室暖房乾燥機は、上述のよう構成されており、熱源機で加熱した温水を、往き配管を経由して浴室暖房乾燥機が備える往き配管接続部から浴室暖房乾燥機に送り込んで、浴室暖房乾燥機が備える熱交換器で放熱させた後、浴室暖房乾燥機が備える戻り配管接続部から戻り配管を経由して熱源機へ戻すように往き配管と戻り配管とが接続される浴室暖房乾燥機において、熱交換器への温水の通流を継続した状態で、循環ファンによる送風を行った後、第１の時間にわたり循環ファンによる送風を停止したときに、往き温水温度検出部による検出温度の上昇幅が前記第１の温度幅以上である場合に、往き配管が戻り配管接続部に接続され、かつ、戻り配管が往き配管接続部に接続された逆接続状態であると判定する逆接続状態判定を実行するようにしているので、往き配管が浴室暖房乾燥機の戻り配管接続部に接続され、かつ、戻り配管が浴室暖房乾燥機の往き配管接続部に接続された逆接続状態を確実に検出することが可能で、しかも、逆接続状態を検出するために熱交換器への通水を一旦停止する必要がなく、逆接続状態であるか否かの判定を完了した後に浴室暖房乾燥機の動作を継続する場合の時間のロスの少ない浴室暖房乾燥機を提供することが可能になる。
【００１５】
すなわち、往き配管が往き配管接続部に接続され、かつ、戻り配管が戻り配管接続部に接続された正しい接続状態である場合には、熱交換器への温水の通流を継続した状態で、上記第１の時間にわたり循環ファンによる送風を停止した場合にも、往き温水温度検出部による検出温度の上昇はないはずであるのに対して、逆接続状態であった場合には、熱交換器への温水の通流を継続した状態で、第１の時間にわたって循環ファンによる送風が停止されると、熱交換器で熱交換が行われないため、熱交換が行われていた場合に比べて、往き温水温度検出部による検出温度が上昇することになる。したがって、往き温水温度検出部による検出温度の上昇幅が第１の温度幅以上である場合に、逆接続状態であると判定することにより、精度の高い判定を行うことが可能になる。
【００１６】
また、本発明の浴室暖房乾燥機において、（ａ）熱交換器への温水の通流を継続した状態で、循環ファンによる送風を行った後、前記第１の時間にわたり循環ファンによる送風を停止したときに、往き温水温度検出部による検出温度の上昇幅が前記第１の温度幅未満である場合に、往き配管が戻り配管接続部に接続され、かつ、戻り配管が往き配管接続部に接続された逆接続状態ではないと判定し、（ｂ）熱交換器への温水の通流を継続した状態で、循環ファンによる送風を行った後、前記第１の時間にわたり循環ファンによる送風を停止したときに、往き温水温度検出部による検出温度の上昇幅が前記第１の温度幅以上である場合に、熱交換器への温水の通流を継続した状態で、循環ファンによる送風を行った後、前記第１の時間より長い前記第２の時間にわたり循環ファンによる送風を停止し、該停止後の往き温水温度検出部による検出温度の上昇幅が、前記第１の温度幅より高い前記第２の温度幅以上である場合に、往き配管が戻り配管接続部に接続され、かつ、戻り配管が往き配管接続部に接続された逆接続状態であると判定するように構成した場合には、逆接続されていないにもかかわらず逆接続状態であると誤検出されることが抑制され、逆接続状態を高精度に判定することが可能になり、信頼性の高い浴室暖房乾燥機を提供することが可能になる。
【００１７】
すなわち、第１の時間（例えば２０秒）にわたり循環ファンによる送風を停止した場合における往き温水温度検出部による検出温度の上昇幅が第１の温度幅以上であるときに、逆接続状態であると一旦判定し（仮判定し）、さらに、上述の第１の時間より長い所定の第２の時間（例えば２００秒）にわたり循環ファンによる送風を停止し、往き温水温度検出部による検出温度の上昇幅が所定の第１の温度幅（例えば３℃）より大きい所定の第２の温度幅（例えば１３℃）以上である場合に、逆接続状態であるとの判定する（本判定を行う）ことにより、逆接続状態をさらに精度で判定することが可能になる。
【００１８】
また、循環ファンによる送風を行った状態で、熱交換器への温水の通流を継続し、往き温水温度検出部による検出温度の変動幅が所定の温度幅以下である場合に、逆接続状態判定を実行するようにしたときには、往き温水温度検出部による検出温度の変動幅が所定の温度幅以下のとき、逆接続状態判定を実行することになるので、逆接続状態を高精度に判定することが可能になる。
【図面の簡単な説明】
【００１９】
【図１】本発明の一実施形態にかかる浴室乾燥機の構成を示す縦断面図である。
【図２】本発明の一実施形態にかかる浴室乾燥機の内部の配管を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【発明を実施するための形態】
【００２０】
以下、本発明の実施形態を示して、その特徴とするところをさらに詳しく説明する。
【００２１】
［実施形態］
この実施形態１にかかる浴室暖房乾燥機は、図１〜３に示すように、ユニットバスなどの浴室２に設置されるミスト機能付浴室暖房乾燥機（以下、単に「浴室暖房乾燥機Ａ」という）として構成されている。
【００２２】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２３】
また、この浴室暖房乾燥機Ａを浴室２に設置するにあたっては、例えば、図３に示すように、浴槽７の上方の、浴室２の天井８に設置される。
【００２４】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２５】
また、図１および図２に示すように、浴室暖房乾燥機本体９内には、熱交換器（温風用熱交換器）（加熱部）１３および送風機１４（１４ａ，１４ｂ）が内装されている。
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
【００２６】
また、図１および図２に示すように、暖房用温水管路１５には温風用熱交換器１３への温水の供給を開閉する熱動弁１７が設けられており、暖房用温水管路１５にはこの管路を流れる温水の温度を検出する暖房温水サーミスタＴＨ２が配設されている。
【００２７】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と、戻り配管６１とが配設されている。
【００２８】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２９】
さらに、浴室暖房乾燥機本体９の下面側には循環ファン１４ａで送風される空気を浴室２内に吹き出す吹き出し口３が設けられている。この吹き出し口３には可動ルーバー１８を回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００３０】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００３１】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
【００３２】
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３３】
ミスト用給水管路２０には、水道水、いわゆる上水が供給されるように構成されており、入口側から順にストレーナ２２、給水電磁弁２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３４】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３５】
また、浴室暖房乾燥機Ａは、図３に示すように、浴室２外の脱衣所に設けた操作器５や浴室２内に設けた操作器３０にてリモコン操作されるように構成されている。
【００３６】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３７】
また、図６に示すように、浴室用の操作器３０には、状態表示部４０、ミストサウナスイッチ３４、ミストスイッチ４１、温度設定スイッチ４２、暖房スイッチ３６、涼風スイッチ３７、風向スイッチ３３、ミスト入浴時間計測用のストップウォッチのスタート／ストップスイッチ４３、リセットスイッチ４５、停止スイッチ３９が設けられている。
【００３８】
この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００３９】
湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４０】
また、図４は、浴室暖房乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００４１】
次に、この実施形態にかかる浴室暖房乾燥機Ａの乾燥運転について説明する。なお、ここでは、自動乾燥運転時における、残り運転時間表示機能を備えた浴室暖房乾燥機Ａの乾燥運転について説明する。
【００４２】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００４３】
乾燥運転が開始すると、換気ファン１４ｂが作動するとともに、循環ファン１４ａが作動し、循環ファン１４ａによって浴室暖房乾燥機本体９内に取り込まれた空気が、温風用熱交換器（加熱部）１３により加熱される。
【００４４】
そして、乾燥運転開始後、時間Ｔ１（例えば２５分）が経過したかどうかを判定し、この時間Ｔ１が経過していた場合、以下の、湿度検出用循環加熱運転を実行する。
【００４５】
湿度検出用循環加熱運転では、換気ファン１４ｂを停止するとともに、循環ファン１４ａの作動および温風用熱交換器（加熱部）１３による加熱を継続する。
【００４６】
そして、湿度検出用循環加熱運転の実行中に、湿度検出手段２７によって検出された湿度の上昇速度が所定の上昇速度以下であると判定したとき、それまで表示されていなかった、タイマー表示部（時間表示部）３１への、乾燥運転の残時間の表示を開始し、その後、時間の経過とともにタイマー表示部（時間表示部）３１に表示した残時間のカウントダウンを行い、タイマー表示部（時間表示部）３１に表示した残時間がゼロになるまで乾燥運転を継続する。
【００４７】
この実施形態では、湿度検出用循環加熱運転中の換気ファン１４ｂの停止中における、所定期間（例えば７分）の開始時の湿度検出手段２７による検出湿度Ｈ１と、この所定期間（例えば７分）の終了時の湿度検出手段２７による検出湿度Ｈ２を求め、Ｈ２とＨ１との差Ｈ（Ｈ＝Ｈ２−Ｈ１）が所定の判定値以下である場合に、前記上昇速度が所定の上昇速度以下であると判定する。
【００４８】
さらに具体的に説明すると、この実施形態では、検出される空気の絶対湿度Ｈ（＝Ｈ２−Ｈ１）が、
Ｈ＝−０．０７４３×４０×２×ｅｘｐ（−１５）
以下のときに、湿度検出手段２７によって検出された湿度の上昇速度が所定の上昇速度以下であると判定し、タイマー表示部（時間表示部）３１に３０分を表示し、その後、時間の経過とともにタイマー表示部（時間表示部）３１に表示した残時間（３０分）のカウントダウンを行い、タイマー表示部（時間表示部）３１に表示した残時間がゼロになるまで乾燥運転を継続する。
【００４９】
さらに、この実施形態の浴室暖房乾燥機Ａでは、それまで表示されていなかった、タイマー表示部（時間表示部）３１への、乾燥運転の残時間の表示を開始した後に、上記湿度検出用循環加熱運転を実行して、湿度検出手段２７によって検出された湿度の上昇速度が前記所定の上昇速度より大きいと判定したときには、その後、上記湿度検出用循環加熱運転を繰り返し行い、繰り返し行った上記湿度検出用循環加熱運転中において、湿度検出手段２７によって検出された湿度の上昇速度が所定の上昇速度以下であると判定した時点で、タイマー表示部（時間表示部）３１への、乾燥運転の残時間の更新表示を行うようにしている。このように構成することで、例えば、浴室内に、濡れた洗濯物などが追加された場合にも、洗濯物や、浴室などの乾燥が不充分になってしまうことが抑制される。
【００５０】
＜特徴的構成＞
次に、この実施形態にかかる浴室暖房乾燥機Ａの特徴的な構成について説明する。
【００５１】
上述のように、この実施形態の浴室暖房乾燥機Ａは、熱源機１６で加熱した温水を、往き配管５１を経由して浴室暖房乾燥機本体９が備える往き配管接続部５２から浴室暖房乾燥機本体９に送り込み、浴室暖房乾燥機本体９が備える温風用熱交換器（加熱部）１３で放熱させた後、浴室暖房乾燥機本体９が備える戻り配管接続部６２から戻り配管６１を経由して熱源機１６へ戻すように往き配管５１と戻り配管６１とが接続されている。
【００５２】
そして、浴室暖房乾燥機本体９内に空気を流入させ、浴室暖房乾燥機本体９内に流入した空気を吹き出し口３を通して吹き出させる循環ファン１４ａと、往き配管接続部５２から供給される温水の温度を検出する往き温水温度検出部（暖房温水サーミスタ）ＴＨ２とを備えている。
【００５３】
また、この実施形態の浴室暖房乾燥機Ａは、熱源機との往き配管５１、戻り配管６１による接続が完了した後、制御部Ｂが備える自動試運転開始指令手段（図示せず）を操作することによって、熱源機との往き配管５１、戻り配管６１による接続が正しく接続されているか否かを判定する逆接続状態判定を実行するように構成されている。
【００５４】
逆接続状態判定の工程では、温風用熱交換器（加熱部）１３への温水の通流を継続した状態で、循環ファン１４ａによる送風を行った後、所定の第１の時間（この実施形態では例えば、２０秒）にわたり循環ファン１４ａによる送風を停止したときに、往き温水温度検出部（暖房温水サーミスタ）ＴＨ２による検出温度の上昇幅が前記第１の温度幅（この実施形態では例えば、３℃）以上であるときに、往き配管５１が戻り配管接続部６２に接続されるとともに戻り配管６１が往き配管接続部５２に接続された逆接続状態であると判定する。
【００５５】
これにより、往き配管５１が戻り配管接続部６２に接続されるとともに戻り配管６１が往き配管接続部５２に接続された逆接続状態を検出することが可能になり、かつ、逆接続状態を検出するために熱交換器（温風用熱交換器１３）への通水を一旦停止する必要がなく、逆接続状態であるか否かの判定を完了した後に浴室暖房乾燥機Ａの動作を継続する場合の時間のロスを抑制することが可能になる。
【００５６】
すなわち、往き配管５１が往き配管接続部５２に接続され、かつ、戻り配管６１が戻り配管接続部６２に接続された正しい接続状態である場合には、温風用熱交換器への温水の通流を継続した状態で、上記第１の時間（２０秒）にわたり循環ファン１４ａによる送風を停止した場合に、往き温水温度検出部ＴＨ２による検出温度の上昇はないはずであるのに対して、逆接続状態であった場合には、温風用熱交換器１３への温水の通流を継続した状態で、第１の時間（２０秒）にわたって循環ファン１４ａによる送風が停止されると、温風用熱交換器１３で熱交換が行われないため、熱交換が行われていた場合に比べて、往き温水温度検出部ＴＨ２による検出温度が上昇することになる。したがって、往き温水温度検出部ＴＨ２による検出温度の上昇幅が第１の温度幅（３℃）以上である場合に、逆接続状態であると判定することにより、精度の高い判定を行うことが可能になる。
【００５７】
なお、温風用熱交換器１３への温水の通流を継続した状態で、循環ファンによる送風を行った後、前記第１の時間（この実施形態では例えば、２０秒）にわたり循環ファン１４ａによる送風を停止したときに、往き温水温度検出部（暖房温水サーミスタ）ＴＨ２による検出温度の上昇幅が第１の温度幅（この実施形態では例えば、３℃）未満である場合に、往き配管５１が戻り配管接続部６２に接続されるとともに戻り配管６１が往き配管接続部５２に接続された逆接続状態ではないと判定して逆接続状態判定を終了する。
【００５８】
本発明においては、上述の本発明の特徴的な構成において説明した逆接続状態であるか否かの判定に加えて、さらに以下のような、より精度の高い判定工程を実施するように構成することができる。
【００５９】
すなわち、温風用熱交換器１３への温水の通流を継続した状態で、循環ファン１４ａによる送風を行った後、第１の時間（この実施形態では例えば、２０秒）にわたり循環ファン１４ａによる送風を停止したときに、往き温水温度検出部（暖房温水サーミスタ）ＴＨ２による検出温度の上昇幅が第１の温度幅（この実施形態では例えば、３℃）以上であるときには、逆接続状態であると一旦判定し（仮判定し）、以下に説明するように、逆接続状態判定をさらに継続する。
【００６０】
すなわち、温風用熱交換器１３への温水の通流を継続した状態で、循環ファン１４ａによる送風を行った後、第１の時間（この実施形態では例えば、２０秒）より長い所定の第２の時間（この実施形態では例えば、２００秒）にわたり循環ファン１４ａによる送風を停止し、往き温水温度検出部（暖房温水サーミスタ）ＴＨ２による検出温度の上昇幅が所定の第１の温度幅（この実施形態では例えば、３℃）より大きい所定の第２の温度幅（この実施形態では例えば、１３℃）以上である場合には、往き配管５１が戻り配管接続部６２に接続され、戻り配管６１が往き配管接続部５２に接続された逆接続状態であるとの判定を確定して（本判定を行って）、逆接続状態判定を終了する。
【００６１】
すなわち、温風用熱交換器１３への温水の通流を継続した状態で、循環ファンによる送風を行った後、所定の第１の時間（この実施形態では例えば、２０秒）にわたり循環ファン１４ａによる送風を停止したときに、往き温水温度検出部（暖房温水サーミスタ）ＴＨ２による検出温度の上昇幅が所定の第１の温度幅（この実施形態では例えば、３℃）以上である場合に、温風用熱交換器１３への温水の通流を継続した状態で、所定の第１の時間（この実施形態では例えば、２０秒）より長い第２の時間（この実施形態では例えば、２００秒）にわたり循環ファン１４ａによる送風を停止し、往き温水温度検出部（暖房温水サーミスタ）ＴＨ２による検出温度の上昇幅が所定の第１の温度幅（この実施形態では例えば、３℃）より大きい第２の温度幅（この実施形態では例えば、１３℃）以上であるときに、往き配管５１が戻り配管接続部６２に接続され、戻り配管６１が往き配管接続部５２に接続された逆接続状態であると判定するようにした場合、逆接続されていないにもかかわらず逆接続状態であると誤検出することが抑制され、逆接続状態を高精度に判定することができるようになる。
【００６２】
また、この実施形態の浴室暖房乾燥機Ａにおいては、さらに以下の構成を備えることにより、逆接続状態をさらに高精度に判定することが可能になる。
【００６３】
この実施形態の浴室暖房乾燥機Ａにおいては、循環ファン１４ａによる送風を行った状態で、温風用熱交換器１３への温水の通流を継続し、往き温水温度検出部（暖房温水サーミスタ）ＴＨ２による検出温度の変動幅が所定の温度幅以下である場合に、所定の間隔をおいて（この実施形態では例えば、５秒間隔で）、往き温水温度検出部（暖房温水サーミスタ）ＴＨ２による温度検出を繰り返し行い、最新の往き温水温度検出部（暖房温水サーミスタ）ＴＨ２による検出温度と過去４回の往き温水温度検出部（暖房温水サーミスタ）ＴＨ２による検出温度との温度差が、いずれも±３℃以内）のとき、逆接続状態判定を実行するように構成することができる。
【００６４】
上述のように構成した浴室暖房乾燥機Ａでは、循環ファン１４ａによる送風を行った状態で熱交換器への温水の通流を継続し、往き温水温度検出部ＴＨ２による検出温度の変動幅が所定の温度幅（±３℃以内）以下である場合に、逆接続状態判定が実行されることになるため、逆接続状態を高精度に判定することが可能になる。
【００６５】
なお、本発明は上記実施形態に限定されるものではなく、発明の範囲内において種々の応用、変形を加えることが可能である。
【符号の説明】
【００６６】
１        吸い込み口
２        浴室
３        吹き出し口
５        操作器
１２      グリル板
１３      熱交換器（温風用熱交換器）（加熱部）
１４      送風機
１４ｂ    換気ファン
１４ａ    循環ファン
１６      熱源機
２７      湿度検出手段（湿度センサ）
２９      演算回路
３１      タイマー表示部（時間表示部）  ５１      往き配管
５２      往き配管接続部
６１      戻り配管
６２      戻り配管接続部
Ａ        浴室乾燥機
Ｂ        制御部
ＴＨ１    ミスト温度サーミスタ
ＴＨ２    往き温水温度検出部（暖房温水サーミスタ）
ＴＨ３    浴室温度サーミスタ
【図１】
0006503251.tif 000002
【図２】
0006503251.tif 000003
【図３】
0006503251.tif 000004
【図４】
0006503251.tif 000005
【図５】
0006503251.tif 000006
【図６】
0006503251.tif 000007